(57)【要約】以下のステップを含む方法が特に開示される。−  包装システム（２０）を監視および／または制御するためのグラフィックユーザ面（４）を提供するステップ（３０２）であって、グラフィックユーザ面（４）は、包装システム（２０）の所定の１つまたは複数の製作パラメータを表示するための製作パラメータ推移ビュー（４０）を備え、所定の製作パラメータの各々についての製作パラメータ推移ビュー（４０）は、以前の時間周期におけるそれぞれの製作パラメータの少なくとも１つの推移（４０３〜４０５）とそれぞれの現在の製作パラメータ値とをグラフで表し、グラフィックユーザ面（４）は、起動可能な少なくとも１つの代替ビュー（４２）を更に備え、製作パラメータ推移ビュー（４０）および代替ビュー（４２）は、代替ビュー（４２）が起動されると、代替ビュー（４２）は製作パラメータ推移ビュー（４０）の一部のみを覆い、製作パラメータ推移ビュー（４０）の第１区画（４０１）には所定の製作パラメータの現在の製作パラメータ値のグラフ表現が表示されているように、代替ビュー（４２）が表示される、ように構成される、ステップ（３０２）。【選択図】図４ｂ
2020517532.tif 000002
【特許請求の範囲】
【請求項１】
方法であって、
−  包装システム（２０）を監視および／または制御するためのグラフィックユーザ面（４）を提供するステップ（３０２）であって、前記グラフィックユーザ面（４）は前記包装システム（２０）の所定の１つまたは複数の製作パラメータを表示するための製作パラメータ推移ビュー（４０）を備え、前記所定の製作パラメータの各々についての前記製作パラメータ推移ビュー（４０）は、以前の時間周期における前記それぞれの製作パラメータの少なくとも１つの推移（４０３〜４０５）と前記それぞれの現在の製作パラメータ値とをグラフで表し、前記グラフィックユーザ面（４）は、起動可能な少なくとも１つの代替ビュー（４２）を更に備え、前記製作パラメータ推移ビュー（４０）および前記代替ビュー（４２）は、前記代替ビュー（４２）が起動されると、前記代替ビュー（４２）は前記製作パラメータ推移ビュー（４０）の一部のみを覆い、前記製作パラメータ推移ビュー（４０）の第１区画（４０１）には前記所定の製作パラメータの現在の製作パラメータ値のグラフ表現が表示されているように、前記代替ビュー（４２）が表示される、ように構成される、ステップ（３０２）、
を含む方法。
【請求項２】
−  前記代替ビュー（４２）を前記グラフィックユーザ面（４）の一部として表示する、および／または表示させる、ステップ（３０４）、
を更に含む、請求項１に記載の方法。
【請求項３】
前記代替ビュー（４２）は、起動されると、前記ユーザ面（４）の一部としてのみ表示される、請求項１または２に記載の方法。
【請求項４】
−  前記製作パラメータ推移ビュー（４０）を、および／または前記製作パラメータ推移ビュー（４０）の前記第１区画（４０１）を、前記グラフィックユーザ面（４）の一部として、表示する、および／または表示させる、ステップ（３０３）、
を更に含む、請求項１〜３の何れか一項に記載の方法。
【請求項５】
前記製作パラメータ推移ビュー（４０）の少なくとも前記第１区画（４０１）は、前記ユーザ面（４）の一部として永続的に表示される、請求項１〜４の何れか一項に記載の方法。
【請求項６】
前記製作パラメータ推移ビュー（４０）の前記第１区画（４０１）は、前記グラフィックユーザ面（４）の中心の外側に位置する、請求項１〜５の何れか一項に記載の方法。
【請求項７】
前記製作パラメータ推移ビュー（４０）は、前記グラフィックユーザ面（４）の側方境界（４３、４４）から前記グラフィックユーザ面（４）の反対側の側方境界（４３、４４）まで、少なくとも一方向に延在する、請求項１〜６の何れか一項に記載の方法。
【請求項８】
前記代替ビュー（４２）は、前記グラフィックユーザ面（４）の側方境界（４３、４４）から前記製作パラメータ推移ビュー（４０）の前記第１区画（４０１）まで、少なくとも一方向に延在する、請求項１〜７の何れか一項に記載の方法。
【請求項９】
−  前記包装システム（２０）の製作パラメータ情報を取得する、および／または利用可能に保持する、ステップ（３０１）であって、前記包装システム（２０）の前記所定の製作パラメータについての前記製作パラメータ情報は、何れの場合も、前記所定の以前の時間周期の間に記録された推移（４０３〜４０５）を表す、ステップ（３０１）、
を更に含む、請求項１〜８の何れか一項に記載の方法。
【請求項１０】
前記所定の製作パラメータの各々についての前記製作パラメータ情報は、何れの場合も、前記それぞれの製作パラメータの前記所定の以前の時間周期の間に記録された複数の製作パラメータ値と現在の製作パラメータ値とを表す、請求項９に記載の方法。
【請求項１１】
前記所定の製作パラメータの各々についての前記製作パラメータ推移ビュー（４０）は、何れの場合も、前記それぞれの製作パラメータに対応付けられた推移曲線（４０３〜４０５）を含み、前記推移曲線の各々は、何れの場合も、前記それぞれの推移曲線に対応付けられた前記製作パラメータの推移をグラフで表す、請求項１〜１０の何れか一項に記載の方法。
【請求項１２】
前記グラフィックユーザ面（４）は、前記代替ビュー（４１０、４１１）を起動するための、前記所定の製作パラメータを事前に規定する、および／または調整する、ための、および／または前記所定の以前の時間周期を事前に規定する、および／または調整する、ための、ユーザ入力インタフェースを備える、請求項１〜１１の何れか一項に記載の方法。
【請求項１３】
プログラム命令を備えたコンピュータプログラムであって、前記コンピュータプログラムがプロセッサ（１０）によって実行されると、前記プログラム命令は、請求項１〜１２の何れか一項に記載の方法を前記プロセッサ（１０）に実施および／または制御させる、コンピュータプログラム。
【請求項１４】
装置（１）であって、前記請求項１〜１２の何れか一項に記載の方法を実施および／または制御するように構成された、または請求項１〜１２の何れか一項に記載の方法のステップを実施および／または制御するためのそれぞれの手段（１０〜１４）を備えた、装置（１）。
【請求項１５】
システム（２）であって、
−  請求項１４に記載の装置（１）と、
−  包装システム（２０）と、
を備えたシステム（２）。
【発明の詳細な説明】
【技術分野】
【０００１】
本発明の複数の例示的実施形態は、包装システムの監視および／または制御に関し、特に、包装システムを監視および／または制御するためのユーザ面の提供に関する。
【背景技術】
【０００２】
例えば、食品などの商品を包装するためのシステムなどの包装システムが公知である。これらシステムは、多くの場合、単一のユーザによって監視または制御され、例えば、包装システムの製作パラメータの現在の製作パラメータ値が対応するグラフィックユーザインタフェース（独：graphische Benutzerschnittstelle，英：graphic user interface）によって、例えば、棒グラフ、スケール表示、および／または数値表示の形態で、ユーザに表示される。これら表示は、しばしば不明確であり、ユーザフレンドリでなく、携帯型装置の、外形寸法が限られた、グラフィックユーザインタフェースによっては表示できない、または表示できるとしても困難である。特に、包装システムの監視および制御に関して、このような包装システムに存在し得る多数の構成要素の故に、製作パラメータの明確且つユーザフレンドリな表示をもたらすことは（他の製作システムと異なり）特に困難である。
【発明の概要】
【課題を解決するための手段】
【０００３】
したがって、本発明の目的は、上記の諸欠点の１つ以上を克服し、例えば、包装システムの製作パラメータの明確且つユーザフレンドリな表示への解決策を提供することであった。
【０００４】
本発明によると、
−  包装システムを監視および／または制御するためのグラフィックユーザ面（独：graphische Benutzeroberflaech，英：graphic user surface）を提供するステップであって、グラフィックユーザ面は包装システムの所定の１つまたは複数の製作パラメータを表示するための製作パラメータ推移ビューを備え、所定の製作パラメータの各々についての製作パラメータ推移ビューは、以前の時間周期におけるそれぞれの製作パラメータの少なくとも１つの推移とそれぞれの現在の製作パラメータ値とをグラフで表し、グラフィックユーザ面は、少なくとも１つの起動可能な代替ビューを更に備え、製作パラメータ推移ビューおよび代替ビューは、代替ビューが起動されると、代替ビューが製作パラメータ推移ビューの一部のみを覆い、製作パラメータ推移ビューの第１区画には所定の製作パラメータの現在の製作パラメータ値のグラフ表現が（例えば、依然として）表示されているように、代替ビューが表示される、ように構成される、ステップ、
を含む方法が開示される。
【０００５】
本発明による方法は、例えば、包装システムを監視および／または制御するための方法、またはこのような方法の一部、である。
【０００６】
更に、本発明によると、複数のプログラム命令を備えたコンピュータプログラムが開示される。これらプログラム命令は、コンピュータプログラムがプロセッサによって実行されると、本発明による方法をプロセッサに実施および／または制御させる。本方法の全てのステップの制御が可能であるか、本方法の全てのステップの実施が可能であるかのどちらかであるか、あるいは１つ以上のステップの制御が可能であり、且つ１つ以上のステップの実施が可能である。
【０００７】
コンピュータプログラムは、例えば、インターネット、電話または移動体通信網、および／またはローカル網などのネットワークを介して共用可能である。コンピュータプログラムは、少なくとも一部をプロセッサのソフトウェアおよび／またはファームウェアとすることができる。少なくとも一部は、ハードウェアとして実装され得る。
【０００８】
コンピュータプログラムは、例えば、コンピュータ可読記憶媒体に収容および／または記憶される。物理的記憶媒体および／または有形記憶媒体とは、例えば、コンピュータ可読記憶媒体であると理解される。
【０００９】
コンピュータプログラムは、例えば、包装システムを監視および／または制御するためのコンピュータプログラムである。
【００１０】
更に、本発明によると、本発明による方法を実施および／または制御するように構成された、または本発明による方法のステップを実施および／または制御するためのそれぞれの手段を備えた、装置が開示される。本発明による方法の全てのステップがこれら手段によって制御可能であるか、本発明による方法の全てのステップがこれら手段によって実施可能であるかのどちらかであるか、あるいは１つ以上のステップがこれら手段によって制御可能であり、且つ１つ以上のステップがこれら手段によって実施可能である。必要に応じて、さまざまなステップをさまざまな手段によって実施または制御可能である。
【００１１】
開示される装置の諸手段は、ハードウェアおよび／またはソフトウェア構成要素を備えることができる。これら手段は、例えば、コンピュータプログラム（例えば、本発明によるコンピュータプログラム）のためのプログラム命令を有するメモリと、この少なくとも１つのメモリからのプログラム命令を実行するように構成された少なくとも１つのプロセッサとを備える。同様に、本発明によると、少なくとも１つのプロセッサと複数のプログラム命令を有する少なくとも１つのメモリとを備えた少なくとも１つの装置であって、少なくとも１つのメモリおよび複数のプログラム命令は、本発明による方法を、少なくとも１つのプロセッサと共に、装置に実施および／または制御させるように構成される、装置が開示されると理解されたい。
【００１２】
加えて、開示される装置は、例えば、（例えば、情報を送受信するための）通信インタフェースおよび／またはユーザインタフェース（例えば、グラフィックユーザインタフェース）などの追加手段を備えることができる。
【００１３】
装置は、例えば、包装システムを監視および／または制御するための装置である。
【００１４】
更に、本発明によると、
−  本発明による装置と、
−  包装システムと、
を備えたシステムが開示される。
【００１５】
以下においては、本発明による方法、本発明によるコンピュータプログラム、本発明による装置、および本発明によるシステム、の特性および特徴を、場合によっては例によって、説明する。
【００１６】
包装システムを監視および／または制御するためのグラフィックユーザ面は、例えば、包装システムを監視および／または制御するためのコンピュータプログラムの（例えば、本発明によるコンピュータプログラムの）グラフィックユーザ面である。
【００１７】
グラフィックユーザ面を提供するとは、例えば、グラフィックユーザ面の少なくとも一部（例えば、製作パラメータ推移ビュー）を表示するようにグラフィックユーザインタフェース（例えば、本発明による装置のグラフィックユーザインタフェース）が制御されることによって、グラフィックユーザインタフェースによってグラフィックユーザ面が提供されることと理解されたい。
【００１８】
グラフィックユーザ面は、グラフィックユーザ面の一部と同時に少なくとも部分的に表示可能な、複数の異なるビューおよび要素を備えることができる。少なくとも一部の実施形態において、ユーザ面の少なくとも一部のビューおよび要素は、代わりに、ユーザ面の一部としてのみの表示も可能であることを理解されたい。この場合、グラフィックユーザ面のビューおよび要素は、例えば、それらがユーザによって視認可能であるときに表示される（例えば、グラフィックユーザインタフェースを介してユーザに表示される）と理解されたい。
【００１９】
製作パラメータ推移ビューは、例えば、グラフィックユーザ面の一部に（例えば、グラフィックユーザ面の一ウインドウに）表示される。追加要素（例えば、タスクリストおよび／またはステータスリスト）は、製作パラメータ推移ビューと同時にユーザ面の一部として依然として表示可能である。
【００２０】
製作パラメータ推移ビューは、包装システムの所定の１つまたは複数の製作パラメータを表示する役割を果たす。
【００２１】
例えば食品などの商品を包装するためのシステムが包装システムと理解される。特に、包装システムは、飲料充填システム、および／または飲料充填システムの一部、を意味すると理解されたい。このようなシステムには、多数の異なる構成要素、例えば、加熱システム（例えば、充填された製品の超高温加熱のための加熱システム）、充填機、閉止栓および／または飲料ストローを取り付けるためのアプリケータ、スイッチポイント、ケースパッカー、およびカートナー、が使用されていることが多い。これら構成要素上で（例えば、これら構成要素のプロセッサによって実行されるコンピュータプログラムの形態の）さまざまなアプリケーションが実行される。
【００２２】
包装システムの一製作パラメータは、例えば、包装システム、および／または包装システムによって実施される製作工程、のステータスに固有のパラメータである。このような製作パラメータの複数の例は、例えば、包装体当たりの充填量、温度（例えば、充填材料の温度）、充填ステータスまたは充填レベル（例えば、パーセント値で、例えば、包装システムの包装材マガジンの充填ステータス、または包装システムの充填材料タンクなどの製品タンクの充填レベル）、包装システムの総システム性能、および／または包装システムの１つまたは複数の構成要素の性能（例えば、包装システムおよび／または構成要素によって一時間当たりに処理される包装の数）、圧力（例えば、ミリバールまたはバール値で、例えば、包装システムの、および／または包装システムの構成要素の、加圧給気の圧力）、流量（例えば、分または秒当たりのミリリットルまたはリットル値で、例えば、包装システムの冷却デバイスにおける冷却用流体の流量）、時間指定（例えば、ミリ秒または秒または分値で、例えば、包装システムの、および／または包装システムの構成要素の、洗浄工程などの進行中の工程の残り時間の通知）、および／または体積（例えば、ミリリットルまたはリットル値で、例えば、包装システムの充填材料タンクなどの製品タンク内に残っている充填材料の体積）である。
【００２３】
製作パラメータの推移は、例えば、所定の時間周期（例えば、所定の以前の時間周期）におけるそれぞれの製作パラメータの展開を表す。
【００２４】
例えば、所定の製作パラメータおよび／または所定の以前の時間周期は、ユーザによって少なくとも部分的に事前に規定可能である、および／または調整可能である。代わりに、または加えて、所定の製作パラメータおよび／または所定の以前の時間周期は、少なくとも部分的に固定的に事前に規定可能である（すなわち、ユーザによって変更することができない）。
【００２５】
所定の製作パラメータの、および／または所定の以前の時間周期の、それぞれの表現は、例えばメモリに（例えば、本発明による装置のメモリに）記憶される。
【００２６】
製作パラメータ推移ビューは、所定の以前の時間周期における所定の製作パラメータの推移と所定の製作パラメータの現在の製作パラメータ値とを表す（例えばグラフで表す）推移図を、例えばグラフ表現として、含む。例えば、複数の異なる推移は、重なり合う推移曲線として、共通のＸ軸と共に、推移図に表される。
【００２７】
その結果、複数の異なる所定の製作パラメータおよびそれぞれの展開が１つの共通ビューでユーザに表示されるので、ユーザは複数の異なるスケールおよび数値表示の間を行ったり来たりして切り換える必要がなくなる。これは、例えば、製作パラメータ推移ビューの明確且つユーザフレンドリな表示を、例えば携帯型装置のグラフィックユーザインタフェースによっても、可能にするために有利である。ユーザは、このビューを通して、例えば、製作パラメータについて記録された製作パラメータ値に予め注意を払う必要がなく、例えば、製作パラメータの推移における異常な傾向または外れ値を特定することもできる。
【００２８】
グラフィックユーザ面は、製作パラメータ推移ビューに加え、少なくとも１つの起動可能な代替ビューを更に備える。起動可能な代替ビューは、例えば、情報を表示するために、および／または包装システムを監視および／または制御するためのユーザ入力インタフェースを提供するために、役立つ。代替ビューは、異なる情報を表示できる、および／または複数の異なるユーザ入力インタフェースを提供できる、ことを理解されたい。例えば、代替ビューは、包装システムの１つまたは複数の構成要素の診断情報を表示するために、および／または包装システムの１つまたは複数の構成要素を制御するためのユーザ入力インタフェースを提供するために、起動可能である。
【００２９】
例えば、代替ビューは、ユーザによる起動が可能である。
【００３０】
例えば、製作パラメータ推移ビューは、デフォルトでユーザ面の一部として表示され、代替ビューは、起動されると、例えば、ユーザ面の一部としてのみ表示される。
【００３１】
代替ビューが起動されると、代替ビューは製作パラメータ推移ビューの一部のみを覆い、製作パラメータ推移ビューの第１区画には所定の製作パラメータの現在の製作パラメータ値のグラフ表現が（例えば、依然として）表示されているとは、例えば、代替ビューと製作パラメータ推移ビューの少なくとも第１区画とが同時にグラフィックユーザ面の一部として表示されることと理解されたい。
【００３２】
所定の製作パラメータの現在の製作パラメータ値のグラフ表現は、例えば、製作パラメータ推移ビューの第１区画に位置する。
【００３３】
これは、例えば、代替ビューが起動されているとき、包装システムの少なくとも現在のステータスを所定の製作パラメータの現在の製作パラメータ値の形態で記録するための、およびそれを一目で監視し続けるための、オプションをユーザに与えるために有利である。その結果、ユーザは、必要であれば、ステータスの変化に特に素早く対応できる。
【００３４】
以下においては、本発明の複数の例示的実施形態を用いて、本発明による方法、本発明によるコンピュータプログラム、本発明による装置、および本発明によるシステム、の更なる特性および特徴を説明する。
【００３５】
本発明の一例示的実施形態によると、本方法は、
−  代替ビューをグラフィックユーザ面の一部として表示する、および／または表示させる、ステップ、
を更に含む。
【００３６】
例えば、代替ビューは、グラフィックユーザ面の一部としてのみ表示される、および／または代替ビューが起動されたときにのみ、代替ビューの表示が引き起こされる。上で開示したように、製作パラメータ推移ビューは、デフォルトでユーザ面の一部として表示可能であり、代替ビューは、起動されると、例えばユーザ面の一部としてのみ表示される。
【００３７】
上で開示したように、代替ビューは、例えば、情報を表示するために、および／または包装システムを監視および／または制御するためのユーザ入力インタフェースを提供するために、役立つ。
【００３８】
グラフィックユーザ面の一部としての代替ビューの表示は、例えば、グラフィックユーザインタフェース（例えば、本発明による装置のグラフィックユーザインタフェース）によって行われる。製作パラメータ推移ビューをグラフィックユーザ面の一部として表示させるとは、例えば、代替ビューをグラフィックユーザ面の一部として表示するように、グラフィックユーザインタフェースが制御されることと理解されたい。
【００３９】
代替ビューがグラフィックユーザ面の一部として表示されるとは、例えば、追加要素および／またはビューがグラフィックユーザ面の一部として、代替ビューと同時に、依然として表示されていることと理解されたい。例えば、製作パラメータ推移ビューの少なくとも第１区画は、グラフィックユーザ面の一部として、代替ビューと同時に、表示可能である。上で開示したように、グラフィックユーザ面のビューおよび要素は、例えば、それらがユーザによって視認可能であるときに表示される（例えば、グラフィックユーザインタフェースを介してユーザに表示される）と理解されたい。
【００４０】
本発明の一例示的実施形態によると、代替ビューは、起動されると、ユーザ面の一部としてのみ表示される。
【００４１】
本発明の一例示的実施形態によると、本方法は、
−  製作パラメータ推移ビューおよび／または製作パラメータ推移ビューの第１区画をグラフィックユーザ面の一部として表示する、および／または表示させる、ステップ、
を更に含む。
【００４２】
上で開示したように、製作パラメータ推移ビューは、デフォルトでユーザ面の一部として表示可能であり、代替ビューは、起動されると、例えば、ユーザ面の一部としてのみ表示される。
【００４３】
したがって、製作パラメータ推移ビューは、例えば、グラフィックユーザ面の一部として表示される、および／または製作パラメータ推移ビューの表示は、代替ビューが停止されたときに引き起こされる。この場合、製作パラメータ推移ビューを表示する、および／または表示させる、とは、例えば、製作パラメータ推移ビューが全面的に表示されること、および／またはその全面的表示が引き起こされること、と理解されたい。
【００４４】
代替ビューが起動されているとき、製作パラメータ推移ビューの第１区画のみも、例えば、グラフィックユーザ面の一部として表示されている、および／または製作パラメータ推移ビューの第１区画の表示が引き起こされている。この場合、製作パラメータ推移ビューの第１区画は、例えば、製作パラメータ推移ビュー全体の一部のみを表す。
【００４５】
グラフィックユーザ面の一部としての製作パラメータ推移ビュー、および／または製作パラメータ推移ビューの第１区画、の表示は、例えば、グラフィックユーザインタフェース（例えば、本発明による装置のグラフィックユーザインタフェース）によって行われる。グラフィックユーザ面の一部としての製作パラメータ推移ビュー、および／または製作パラメータ推移ビューの第１区画、の表示は、例えば、製作パラメータ推移ビュー、および／または製作パラメータ推移ビューの第１区画、をグラフィックユーザ面の一部として表示するように、グラフィックユーザインタフェースが制御されることと理解されたい。
【００４６】
製作パラメータ推移ビューがグラフィックユーザ面の一部として表示されているとは、例えば、追加要素および／またはビューがグラフィックユーザ面の一部として、製作パラメータ推移ビューと同時に、依然として表示されていることと理解されたい。上で開示したように、グラフィックユーザ面のビューおよび要素は、例えば、ユーザによって視認可能であるときに表示される（例えば、グラフィックユーザインタフェースを介してユーザに表示される）ことと理解されたい。
【００４７】
本発明の一例示的実施形態によると、製作パラメータ推移ビューの少なくとも第１区画は、ユーザ面の一部として永続的に表示されている。これは、例えば、代替ビューが起動されているときも、代替ビューが停止されているときも、製作パラメータ推移ビューの当該区画がユーザ面の一部として表示されていることによって実現可能である。
【００４８】
本発明の一例示的実施形態によると、製作パラメータ推移ビューの第１区画は、グラフィックユーザ面の中心の外側に位置する。
【００４９】
製作パラメータ推移ビューの第１区画がグラフィックユーザ面の中心の外側に位置するとは、例えば、製作パラメータ推移ビューの少なくとも第１区画がグラフィックユーザインタフェースによってユーザ面の一部として表示されているとき、グラフィックユーザ面の中心は、グラフィックユーザインタフェース上の製作パラメータ推移ビューの第１区画が占める領域の外側にあることと理解されたい。
【００５０】
この場合、グラフィックユーザ面の中心とは、例えば、グラフィックユーザ面の幾何学的焦点、例えば、グラフィックユーザ面を提供および／または表示する、グラフィックユーザインタフェース上のグラフィックユーザ面が占める領域の幾何学的焦点、であると理解されたい。したがって、グラフィックユーザ面が、例えば、グラフィックユーザインタフェース上の矩形領域を占める場合、この矩形領域（すなわち、矩形領域によって形成された矩形）の対角線の交点は、グラフィックユーザ面の中心であると理解されたい。
【００５１】
本発明の一例示的実施形態によると、製作パラメータ推移ビューは、グラフィックユーザ面の一側方境界からグラフィックユーザ面の反対側の側方境界まで、少なくとも一方向に延在する。これは、例えば、製作パラメータ推移ビューは、少なくとも全面的に表示されたときに拡大すると理解されたい。
【００５２】
この場合、例えば、グラフィックユーザ面を提供および／または表示する、グラフィックユーザインタフェース上のグラフィックユーザ面が占める領域の一辺は、グラフィックユーザ面の一側方境界であると理解されたい。したがって、製作パラメータ推移ビューは、例えば、グラフィックユーザ面が、例えば、グラフィックユーザインタフェース上の矩形領域を占めるとき、矩形領域（すなわち、矩形領域によって形成された矩形）の一方の辺から矩形領域の反対側の辺まで、この２つの辺の少なくとも一方に垂直に、および／またはこの矩形領域のその他の２つの辺に平行に、延びる方向に延在可能である。
【００５３】
例えば、製作パラメータ推移ビューは、製作パラメータ推移ビューをグラフィックユーザ面の一部として表示するグラフィックユーザインタフェース上の矩形領域を占める。
【００５４】
本発明の一例示的実施形態によると、代替ビューは、グラフィックユーザ面の一側方境界から製作パラメータ推移ビューの第１区画まで、少なくとも一方向に延在する。これは、例えば、製作パラメータ推移ビューは、少なくとも起動および／または表示されているときに、それに応じて延在すると理解されたい。
【００５５】
この場合、例えば、グラフィックユーザインタフェースを提供および／または表示する、グラフィックユーザインタフェース上のグラフィックユーザ面が占める領域の一辺とは、グラフィックユーザ面の一側方境界であると理解されたい。例えば、代替ビューは、グラフィックユーザインタフェース上のグラフィックユーザ面が占める領域の一方の辺からグラフィックユーザ面上の製作パラメータ推移ビューの第１区画が占める領域の最も近い辺まで延在する。したがって、例えば、グラフィックユーザ面および製作パラメータ推移ビューの第１区画が、例えば、何れの場合も、グラフィックユーザインタフェース上の矩形領域を占めるとき、製作パラメータ推移ビューは、グラフィックユーザインタフェースが占める矩形領域（すなわち、矩形領域によって形成された矩形）の一方の辺から製作パラメータ推移ビューの第１区画が占める領域の最も近い辺まで、グラフィックユーザインタフェースが占める矩形領域に垂直に延びる方向に、延在可能である。
【００５６】
例えば、代替ビューは、代替ビューをグラフィックユーザ面の一部として表示するグラフィックユーザインタフェース上の矩形領域を占める。
【００５７】
本発明の一例示的実施形態によると、本方法は、
−  包装システムの製作パラメータ情報を取得する、および／または利用可能に保持する、ステップであって、包装システムの所定の製作パラメータについての製作パラメータ情報は、何れの場合も、所定の以前の時間周期の間に記録された推移を表す、ステップ、
を更に含む。
【００５８】
上で開示したように、包装システムには複数の異なる構成要素が使用されることが多い。これら構成要素のうちの少なくとも一部は、例えば、包装システムの製作パラメータの少なくとも１つの製作パラメータ値を記録するように、およびこの記録された少なくとも１つの製作パラメータ値の表現を製作パラメータ情報として本発明による装置に（例えば、通信接続を介して本発明による装置に）送るように、構成される。
【００５９】
したがって、製作パラメータ情報を取得するとは、例えば、製作パラメータ情報が（例えば、通信接続を介して本発明による装置によって）受信されることと理解される。製作パラメータ情報は、例えば、メモリに（例えば、本発明による装置のメモリに）記憶されているとき、利用可能に保持されていると理解されたい。例えば、何れの場合も、包装システムの構成要素によって直近に記録された製作パラメータを表す製作パラメータ情報が受信され、その後にメモリに連続的に、および／または定期的または不定期的に、記憶される。
【００６０】
例えば、所定の製作パラメータの各々についての製作パラメータ情報は、何れの場合も、所定の以前の時間周期の間に記録された複数の製作パラメータ値とそれぞれの製作パラメータの現在の製作パラメータ値とを表す。この場合、それぞれの製作パラメータの現在の製作パラメータ値とは、例えば、この製作パラメータについて、何れの場合も、直近に記録された、製作パラメータ情報によって表される、製作パラメータ値であると理解されたい。
【００６１】
更に、表される各製作パラメータ値についての製作パラメータ情報は、製作パラメータ値が記録された、対応する記録時刻を表すことができる。
【００６２】
例えば、所定の製作パラメータの各推移と現在の製作パラメータ値とのグラフ表現は、取得および／または提供された製作パラメータ情報に少なくとも部分的に基づく、および／または、それらに少なくとも部分的に基づき決定される。
【００６３】
本発明の一例示的実施形態によると、所定の製作パラメータの各々についての製作パラメータ推移ビューは、何れの場合も、それぞれの製作パラメータに対応付けられた推移曲線を含み、これら推移曲線の各々は、何れの場合も、それぞれの推移曲線に対応付けられた製作パラメータの推移をグラフで表す。
【００６４】
例えば、このような推移曲線（例えば、推移曲線の各々）は、線図または曲線図によって少なくとも部分的に形成可能である。所定の以前の時間周期についてのこのような線図または曲線図の取得は、例えば、所定の以前の時間周期について上で開示した製作パラメータ情報によって表される、それぞれの推移曲線に対応付けられた製作パラメータの記録された製作パラメータ値とこれらに対応付けられた記録時刻とを表す点を接続することによって可能である。
【００６５】
例えば、製作パラメータ推移ビューの第１区画における推移曲線の各々は、それぞれの推移曲線に対応付けられた製作パラメータの現在の製作パラメータ値を表す。この場合、それぞれの製作パラメータの現在の製作パラメータ値とは、上で開示したように、例えば、この製作パラメータについて、何れの場合も、直近に記録された製作パラメータ情報によって表された、製作パラメータ値であると理解されたい。
【００６６】
本発明の一例示的実施形態によると、グラフィックユーザ面は、代替ビューを起動するための、所定の製作パラメータを事前に規定する、および／または調整する、ための、および／または所定の以前の時間周期を事前に規定する、および／または調整する、ための、ユーザ入力インタフェースを備える。
【００６７】
例えば、ユーザ入力インタフェースは、グラフィックユーザ面の一部として（例えば、本発明による装置のグラフィックユーザインタフェースによって）表示される。
【００６８】
ユーザ入力インタフェースの一例は、例えば、ユーザ入力によって（例えば、タッチ入力および／またはマウス入力によって）起動および／または操作可能な、ボタン、制御ボックス、またはスライドコントロールなどの、ユーザ面の要素である。
【００６９】
代替ビューを起動するためのユーザ入力インタフェースは、例えば、グラフィックユーザ面の代替ビューが対応するユーザ入力によって起動されたときに、その代替ビューの起動を引き起こすように構成される。例えば、代替ビューを起動するためのユーザ入力インタフェースの起動は、代替ビューをグラフィックユーザ面の一部として表示させる、および／または代替ビューの表示を引き起こす。
【００７０】
グラフィックユーザ面は、代替ビューを起動するための複数のユーザ入力インタフェースを更に備えることができることを理解されたい。この場合、代替ビューは、これらユーザ入力インタフェースのうちの１つによって起動されると、そのユーザ入力インタフェースに対応付けられた情報を表示する、および／またはそのユーザ入力インタフェースに対応付けられたユーザ入力インタフェースを提供する。その結果、代替ビューは、複数の異なる情報および／またはユーザ入力インタフェースを表示するという役割を果たすことができる。例えば、包装システムの１つまたは複数の構成要素の診断情報が対応付けられた代替ビューを起動するためのユーザ入力インタフェースの提供が可能であるので、この代替ビューは、このユーザ入力インタフェースによって起動されると、包装システムの１つまたは複数の構成要素の診断情報を表示する。例えば、包装システムの１つまたは複数の構成要素を制御するためのユーザ入力インタフェースに対応付けられた代替ビューを起動するためのユーザ入力インタフェースの提供も可能であるので、この代替ビューは、このユーザ入力インタフェースによって起動されると、包装システムの１つまたは複数の構成要素を制御するためのユーザ入力インタフェースを提供する。
【００７１】
所定の製作パラメータおよび／または所定の以前の時間周期を事前に規定する、および／または調整する、ためのユーザ入力インタフェースは、例えば、所定の製作パラメータおよび／または所定の以前の時間周期の事前の規定および／または調整を対応するユーザ入力によって行えるように構成される。
【００７２】
追加の複数のユーザ入力インタフェースがグラフィックユーザ面の一部になり得ることを理解されたい。
【００７３】
本発明の一例示的実施形態によると、グラフィックユーザ面は、携帯型装置のグラフィックユーザインタフェースによって表示および／または提供される。例えば、本発明による装置は携帯型装置である。
【００７４】
例えば、携帯型装置は、外形寸法が３３０ｍｍ×２５０ｍｍ×２０ｍｍ未満、好ましくは２５０ｍｍ×２００ｍｍ×１５ｍｍ未満、特に好ましくは１６０ｍｍ×８０ｍｍ×８ｍｍ未満、の装置であると理解されたい。
【００７５】
携帯型装置の複数の例は、スマートフォン、タブレットコンピュータ、またはノートブックコンピュータである。
【００７６】
上記の本発明の複数の例示的実施形態および複数の例示的構成は、あらゆる組み合わせで開示されていることを更に理解されたい。
【００７７】
本発明の更なる有利な例示的構成は、特に図と組み合わされた、本発明のいくつかの例示的実施形態の以下の詳細な説明から推測可能である。ただし、本出願に添付された図は、本発明の保護範囲を規定するためではなく、説明のためにのみ使用されることを意図している。添付の図面は、必ずしも一定比例の縮尺ではなく、本発明の全般的概念を例示的形態で単に反映している。特に、図面に含まれている特徴は、本発明の必須要素と決して考えられるべきではない。
【図面の簡単な説明】
【００７８】
【図１】本発明による装置の一例示的実施形態の概略表現を示す。
【図２】本発明によるシステムの一例示的実施形態の概略表現を示す。
【図３】本発明による方法の一例示的実施形態のフローチャートを示す。
【図４ａ】グラフィックユーザ面における製作パラメータ推移ビューの一例示的表示を示す。
【図４ｂ】グラフィックユーザ面における代替ビューおよび製作パラメータ推移ビューの第１区画の一例示的表示を示す。
【図５】記憶媒体の複数の例示的実施形態を示す。
【発明を実施するための形態】
【００７９】
図１は、本発明による装置の一例示的実施形態の概略表現である。本発明による装置は、図１に装置１として表されている。
【００８０】
装置は、例えば、プロセッサ１０と、プロセッサ１０に接続されたプログラムおよびデータメモリ１１としての第１メモリと、主メモリ１２としての第２メモリと、通信インタフェース１３と、グラフィックユーザインタフェース１４とを備える。
【００８１】
プロセッサとは、例えば、マイクロプロセッサ、マイクロコントロールユニット、マイクロコントローラ、デジタル信号プロセッサ（ＤＳＰ）、特定用途向け集積回路（ＡＳＩＣ）、またはフィールドプログラマブルゲートアレイ（ＦＰＧＡ）であると理解されたい。装置１は、複数のプロセッサ１０を備えることもできることを理解されたい。
【００８２】
プロセッサ１０は、プログラムメモリ１１に記憶されているプログラム命令を実行し、例えば、中間結果またはこれに類するものを主メモリ１２に格納する。プログラムメモリ１１は、例えば、本発明によるコンピュータプログラムのプログラム命令を収容する。コンピュータプログラムはプログラム命令を含み、プログラムメモリ１１に記憶されているこれらプログラム命令をプロセッサ１０が実行すると、本発明による方法（例えば、図３に示されているフローチャート３による方法）をプロセッサ１０に実施および／または制御させる。
【００８３】
プログラムメモリ１１は、例えば、装置のオペレーティングシステムを更に収容する。オペレーティングシステムは、装置の始動時に、少なくとも場合によっては、主メモリ１２に読み込まれ、プロセッサ１０によって実行される。特に、装置の始動時、オペレーティングシステムのコアの少なくとも一部が主メモリ１２に読み込まれ、プロセッサ１０によって実行される。
【００８４】
オペレーティングシステムの一例は、Ｗｉｎｄｏｗｓ（登録商標）、ＵＮＩＸ（登録商標）、Ｌｉｎｕｘ（登録商標）、Ａｎｄｒｏｉｄ（登録商標）、Ａｐｐｌｅ  ｉＯＳ（登録商標）、および／またはＭａｃ  ＯＳ（登録商標）オペレーティングシステムである。特に、オペレーティングシステムは、データ処理のために携帯型装置の使用を可能にする。オペレーティングシステムは、例えば、主メモリおよびプログラムメモリなどのツールを管理し、他のコンピュータプログラムとのプログラミングインタフェースを介して、とりわけ基本的な機能を提供し、コンピュータプログラムの実行を制御する。
【００８５】
プログラムメモリは、例えば、フラッシュドライブ、磁気メモリ、ＥＥＰＲＯＭメモリ（電気的に消去可能なプログラマブル読み出し専用メモリ）、および／または光学メモリなどの不揮発性メモリである。主メモリは、例えば、揮発性または不揮発性メモリ、特に、スタティックＲＡＭメモリ（ＳＲＡＭ）、ダイナミックＲＡＭメモリ（ＤＲＡＭ）、強誘電体ＲＡＭメモリ（ＦｅＲＡＭ）、および／または磁気ＲＡＭメモリ（ＭＲＡＭ）などのランダムアクセスメモリ（ＲＡＭ）である。
【００８６】
主メモリ１２とプログラムメモリ１１とは、１つのメモリとしての形成も可能である。あるいは、主メモリ１２および／またはプログラムメモリ１１の各々は、複数のメモリによって形成可能である。更に、主メモリ１２および／またはプログラムメモリ１１は、プロセッサ１０の一部にすることもできる。
【００８７】
プロセッサ１０は、通信インタフェース１３を制御する。通信インタフェースは、例えば、通信手法に従って通信経路および／または通信接続を介して情報を受信でき、それをプロセッサ１０に提供できる、および／またはプロセッサ１０から情報を受信でき、それを通信手法に従って通信経路および／または通信接続を介して送信できる。このような通信手法の複数の例は、複数の通信網とそれぞれの仕様であり、例えば、イーサネット（登録商標）網、および／またはＷＬＡＮ網、および／またはＥｔｈｅｒＣＡＴ（登録商標）などのリアルタイムイーサネット網、および／またはＧＳＭ、ＵＭＴＳ、および／またはＬＴＥ網などの移動体通信網などである。したがって、通信インタフェースの一例は、イーサネットおよび／またはＷＬＡＮおよび／またはＥｔｈｅｒＣＡＴおよび／または移動体通信網アダプタなどのネットワークアダプタである。
【００８８】
更に、プロセッサ１０は、グラフィックユーザインタフェース１４を制御する。例えば、グラフィックユーザインタフェース１４は、グラフィックユーザ面（例えば、プロセッサ１０によって実行されるコンピュータプログラムのグラフィックユーザ面）を表示するように構成される。例えば、グラフィックユーザインタフェース１４は、タッチセンシティブスクリーンなどの画面である。
【００８９】
装置１の構成要素１０〜１４は、例えば、通信および／または操作目的のために、１つまたは複数のバスシステム（例えば、１つまたは複数の直列および／または並列バス接続）を介して互いに接続される。
【００９０】
装置１は、構成要素１０〜１４に加え、例えば、入出力手段（例えば、キーボードおよび／またはマウス）など、更なる構成要素を備えることができることを理解されたい。
【００９１】
装置１は、例えば、携帯型装置として（例えば、タブレットコンピュータとして）形成可能である。
【００９２】
図２は、包装システム２０と装置１とを有する、本発明によるシステム２の一例示的実施形態の概略表現である。装置１は、包装システム２０のホルダに固締され、通信接続２１を介して包装システム２０、および／または包装システム２０の構成要素、と通信（例えば、製作パラメータ情報などの情報を送受信）可能である。以下においては、装置１は、図１の装置１に相当すると想定する。
【００９３】
包装システム２０は、例えば、飲料充填システム、および／または飲料充填システムの一部、である。このようなシステムには、多数の異なる構成要素、例えば、加熱システム（例えば、充填製品の超高温加熱のための加熱システム）、充填機、閉止栓および／または飲料ストローを取り付けるためのアプリケータ、スイッチポイント、ケースパッカー、およびカートナー、が使用されることが多い。
【００９４】
包装システム２０の構成要素のうちの少なくとも一部は、包装システム２０の一製作パラメータの少なくとも１つの製作パラメータ値を記録するように、およびこの記録された少なくとも１つの製作パラメータ値を製作パラメータ情報として通信接続２１を介して装置１に送信するように、構成される。
【００９５】
この場合、包装システム２０の一製作パラメータは、例えば、包装システム２０、および／または包装システム２０によって実行される製作工程、のステータスに固有のパラメータと理解される。このような製作パラメータの複数の例は、包装体当たりの充填量、温度（例えば、充填材料の温度）、充填ステータスまたは充填レベル（例えば、包装システムの包装材マガジンの充填ステータス、または包装システムの充填材料タンクなどの製品タンクの充填レベル）、包装システム２０の総システム性能、および／または包装システム２０の１つまたは複数の構成要素の性能（例えば、包装システムおよび／または構成要素によって一時間当たりに処理される包装体の数）、圧力（例えば、包装システム２０の、および／または包装システム２０の構成要素の、加圧給気の圧力）、流量（例えば、包装システム２０の冷却デバイスにおける冷却用流体の流量）、時間スペック（例えば、包装システム２０の、および／または包装システム２０の構成要素の、洗浄工程などの進行中の工程の残り時間の通知）、および／または体積（例えば、包装システムの充填材料タンクなどの製品タンク内に残っている充填材料の体積）である。
【００９６】
図３は、本発明による方法の一例示的実施形態のステップのフローチャート３を示す。以下においては、一例として、フローチャート３のステップ３０１〜３０４がシステム２の一部である装置１（図２を参照）によって実施されると想定する。
【００９７】
任意のステップ３０１において、包装システム２０の製作パラメータ情報が装置１において取得される、および／または装置１によって利用可能に保持される。包装システム２０の所定の１つまたは複数の製作パラメータについての製作パラメータ情報は、何れの場合も、所定の以前の時間周期の間に記録された推移を表す。
【００９８】
例えば、包装システム２０の製作パラメータ情報は、ステップ３０１において、包装システムから通信接続２１を介して通信インタフェース１３によって少なくとも部分的に受信される。代わりに、または加えて、包装システム２０の製作パラメータ情報は、装置１のプログラムメモリ１１に少なくとも部分的に記憶可能である。
【００９９】
例えば、何れの場合も、包装システムの構成要素によって直近に記録された製作パラメータ値を表す製作パラメータ情報は、通信接続２１を介して通信インタフェース１３によって受信され、その後にプログラムメモリ１１に連続的に、および／または定期的または不定期的に、記憶される。したがって、所定の製作パラメータの各々についての製作パラメータ情報は、例えば、所定の以前の時間周期の間に記録されたそれぞれの製作パラメータの複数の製作パラメータ値を表す。
【０１００】
ステップ３０２において、携帯型装置１によって包装システム２０を監視および／または制御するためのグラフィックユーザ面が提供される。グラフィックユーザ面は、包装システムの所定の１つまたは複数の製作パラメータを表示するための製作パラメータ推移ビューを備える。グラフィックユーザ面は、起動可能な少なくとも１つの代替ビューを更に備える。
【０１０１】
例えば、グラフィックユーザ面は、グラフィックユーザインタフェース１４によって少なくとも部分的に表示されることによって、携帯型装置１によって提供される。
【０１０２】
グラフィックユーザ面は、グラフィックユーザ面の一部として少なくとも部分的に同時に表示可能な、複数の異なるビューおよび要素を備えることができる。少なくとも一部の実施形態において、ユーザ面の少なくとも一部のビューおよび要素は、代わりに、ユーザ面の一部としてのみの表示も可能であることを理解されたい。この場合、グラフィックユーザ面のビューおよび要素は、例えば、ユーザによって視認可能であるときに表示される（例えば、グラフィックユーザインタフェースを介してユーザに表示される）と理解されたい。
【０１０３】
図４ａおよび図４ｂには、ステップ３０２においてグラフィックユーザ面４がグラフィックユーザ面４を提供するときに、グラフィックユーザインタフェース１４によって表示されるグラフィックユーザ面４の例示的表示が示されている。以下においては、グラフィックユーザインタフェース１４は、ステップ３０２において、図４ａおよび／または図４ｂのグラフィックユーザ面４を提供すると想定する。
【０１０４】
任意のステップ３０３において、製作パラメータ推移ビューはグラフィックユーザ面の一部として表示される、および／または製作パラメータ推移ビューの表示が引き起こされる。例えば、グラフィックユーザ面がグラフィックユーザインタフェース１４によって提供されるや否や、製作パラメータ推移ビューは、デフォルトでグラフィックユーザ面の一部として表示される。
【０１０５】
製作パラメータ推移ビューは、所定の製作パラメータの各々について、所定の以前の時間周期におけるそれぞれの製作パラメータの少なくとも１つの推移とそれぞれの現在の製作パラメータ値とをグラフで表す。所定の製作パラメータおよび／または所定の以前の時間周期のそれぞれの表現は、例えば、メモリに（例えば、プログラムメモリ１１または主メモリ１２に）に記憶される。
【０１０６】
図４ａでは、グラフィックユーザ面４に製作パラメータ推移ビュー４０が表されている。図４ａから明らかなように、製作パラメータ推移ビュー４０は、例えば、グラフィックユーザ面４の一部でもあるタスクまたはステータスリスト４１の下のグラフィックユーザ面４の部分に表示される。
【０１０７】
製作パラメータ推移ビュー４０は、第１区画４０１と第２区画４０２とを備える。
【０１０８】
第２区画４０２は、例えば、推移図を含む。推移図は、所定の以前の時間周期の間に記録された所定の製作パラメータの推移４０３〜４０５を表す。これらは、ステップ３０１において取得される、および／または利用可能に保持される、製品パラメータ情報によって表される。
【０１０９】
一例として、第２区画４０２には、一時間当たりの包装体数として記録されたシステム性能の推移が推移曲線４０３によって表され、包装材マガジンの充填ステータスの記録された推移が推移曲線４０４によって表され、包装体当たりの充填量として記録された推移が推移曲線４０５によって表されている。例えば、この推移図には、複数の異なる推移が重なり合う推移曲線（４０３〜４０５を参照）として、共通のＸ軸４０６と共に、表されている。
【０１１０】
第１区画４０１は、例えば、所定の製作パラメータの現在の製作パラメータ値のグラフ表現を含む。この場合、製作パラメータの現在の製作パラメータ値とは、この製作パラメータについての、何れの場合も、直近に記録された製作パラメータ値であり、例えば、ステップ３０１において取得される、および／または利用可能に保持される、製作パラメータ情報によって表される値であると理解されたい。所定の製作パラメータの現在の製作パラメータ値のグラフ表現は、例えば、図４ａには、線４０７と、現在時刻および／または対応付けられた記録時刻を表示するラベル「１０：００」とによって強調されている。
【０１１１】
図４ａには、第１区画４０１と第２区画４０２との間の移行部が破線４０８によって示されている。図４ａから明らかなように、製作パラメータ推移ビュー４０の第１区画４０１は、ユーザ面４の中心の外側に位置する。製作パラメータ推移ビュー４０は、ユーザ面４の側方境界４３からユーザ面４の側方境界４４まで、側方境界４３に垂直に延びる方向に延在する。
【０１１２】
更に、ユーザ面４は、例えば、代替ビューを起動するための、および／または所定の製作パラメータおよび／または所定の以前の時間周期を事前に規定する、および／または調整する、ための、ユーザ入力インタフェースを１つまたは複数備えることができる。ユーザ入力インタフェースの一例は、ユーザ入力によって（例えば、タッチ入力および／またはマウス入力によって）起動および／または操作可能な、ボタン、制御ボックス、またはスライドコントロールなどの、ユーザ面４の要素である。
【０１１３】
図４ａには、一例として、代替ビューを起動するための２つのユーザ入力インタフェース４１０および４１１がタスクおよび／またはステータスリスト４１の一部として表されている。更に、例えば、機械情報と包装システムの１つまたは複数の機械構成要素を制御するための複数のユーザ入力インタフェースとが対応付けられた代替ビューを起動するためのユーザ入力インタフェース４１０を更に設けることもできる。この場合、この代替ビューは、ユーザ入力インタフェース４１０によって起動されると、機械情報を表示し、包装システム２０の１つまたは複数の機械構成要素を制御するための複数のユーザ入力インタフェースを提供する。ユーザ入力インタフェース４１１は、例えば、診断情報に対応付けられているので、代替ビューは、ユーザ入力インタフェース４１１によって起動されると、包装システム２０の１つまたは複数の構成要素の対応する診断情報を表示する。
【０１１４】
任意のステップ３０４において、代替ビューはグラフィックユーザ面の一部として表示される、および／または代替ビューの表示が引き起こされる。
【０１１５】
例えば、代替ビューは、起動されたときにのみ表示される。例えば、ユーザは、ステップ３０４により、グラフィックユーザ面の一部としての代替ビューの表示をトリガするためのユーザ入力インタフェース４１０または４１１の一方を対応するユーザ入力によって起動できる。代替ビューの表示をトリガするユーザ入力インタフェースに応じて、代替ビューは、例えば、異なる情報（例えば、ユーザ入力インタフェース４１０のための機械情報およびユーザ入力インタフェース４１１のための診断情報）を表示できる。
【０１１６】
製作パラメータ推移ビューおよび代替ビューは、代替ビューが起動されると、代替ビューが製作パラメータ推移ビューの一部のみを覆い、製作パラメータ推移ビューの第１区画には所定の製作パラメータの現在の製作パラメータ値のグラフ表現が引き続き表示されているように、ステップ３０４で代替ビューが表示される、ように構成される。
【０１１７】
図４ｂでは、代替ビュー４２と製作パラメータ推移ビュー４０の第１区画４０１とがグラフィックユーザ面４に表されている。代替ビュー４２と製作パラメータ推移ビューの第１区画４０１とは、グラフィックユーザ面４の一部でもあるタスクまたはステータスリスト４１の下のグラフィックユーザ面４の部分に表示されている。
【０１１８】
以下においては、一例として、代替ビュー４２がユーザ入力インタフェース４１０によって起動されたと想定する。したがって、図４ｂには、ユーザ入力インタフェース４１０が強調されており、代替ビュー４２は、一例として、包装システム２０の複数の機械構成要素の「蒸気供給−温度」についての機械情報４２０を表示し、これら機械構成要素を制御するためのユーザ入力インタフェース４２１を提供している。
【０１１９】
図４ｂから明らかなように、代替ビュー４２は、ユーザ面４の側方境界４３から、製作パラメータ推移ビュー４０の第１区画４０１の近い方の、破線４０８によって表されている、側方境界まで、ユーザ面４の側方境界４３に垂直に延びる方向に、延在するので、代替ビュー４２は製作パラメータ推移ビュー４０の少なくとも一部を覆い、製作パラメータ推移ビュー４０の第１区画４０１には、所定の製作パラメータの現在の製作パラメータ値のグラフ表現が引き続き（すなわち代替ビュー４２と同時に）表示されている。
【０１２０】
製作パラメータ推移ビュー４０の第１区画４０１は、ユーザ面４の中心の外側に位置するので、代替ビュー４２は製作パラメータ推移ビュー４０の半分超を覆い得るが、製作パラメータ推移ビュー４０の第１区画４０１は覆わない。したがって、製作パラメータ推移ビュー４０の半分超を代替ビュー４２のために利用可能であるが、ユーザは、製作パラメータ推移ビュー４０の第１区画４０１に表示されている所定の製作パラメータの現在の製作パラメータ値の形態の包装システムの現在のステータスのビューを失うことはない。その結果、ユーザは、代替ビュー４２が表示されているときでも、必要であれば、ステータスの変化への特に迅速な対応が可能である。
【０１２１】
図５は、本発明によるコンピュータプログラムの一例示的実施形態を記憶可能な記憶媒体の複数の例示的実施形態を示す。記憶媒体は、例えば、磁気、電気、光学、および／または他の種類の記憶媒体とすることができる。記憶媒体は、例えば、プロセッサ（例えば、図１の携帯型装置１のプロセッサ１０）の一部、例えば、プロセッサの（不揮発性または揮発性）プログラムメモリまたはこの一部とすることができる。記憶媒体の例示的実施形態は、フラッシュメモリ５００、ＳＳＤハードドライブ５０１、磁気ハードドライブ５０２、メモリカード５０３、メモリスティック５０４（例えば、ＵＳＢスティック）、ＣＤ−ＲＯＭまたはＤＶＤ５０５、またはディスケット５０６である。
【０１２２】
本願明細書に記載の本発明の複数の例示的実施形態は、互いにあらゆる組み合わせとして開示されていることを更に理解されたい。特に、一実施形態に含まれている一特徴の説明は、別様に明示的に説明されていない限り、本ケースにおいては、その特徴がその例示的実施形態の機能のために必要または必須であると理解されないものとする。本願明細書に概説されている個々のフローチャートにおける方法ステップの順番は、絶対的に必要ではなく、別様に示されていない限り、これら方法ステップの代わりの順番も考えられる。これら方法ステップは、異なる方法で実現可能であるので、これら方法ステップを実現するために、ソフトウェアでの（プログラム命令によって）、ハードウェアでの、またはこの２つの組み合わせでの、実現が考えられる。
【０１２３】
特許請求の範囲で使用されている、「を備える（独：umfassen，英：comprise）」、「を有する（独：aufweisen，英：have）」、「を収容する（独：beinhalten，英：contain）」、「を含む（独：enthalten，英：include）」等々などの用語は、追加要素またはステップを排除しない。表現「少なくとも部分的に（独：zumindest teilweise，英：at least partially）」は、「部分的に（独：teilweise，英：partially）」の場合と「全面的に（独：vollstaendig，英：fully）」の場合の両方を含む。表現「および／または（独：und/oder，英：and/or）」は、どちらか一方および組み合わせの両方が開示されると理解されたい。すなわち、「Ａおよび／またはＢ」は、「（Ａ）または（Ｂ）あるいは（ＡおよびＢ）」を意味する。本願明細書の文脈において、複数の（独：Mehrzahl，英：a plurality of）ユニット、個体、またはこれらに類するものは、多数の（独：mehrere，英：multiple）ユニット、個体、またはこれらに類するものを意味する。不定冠詞の使用は、複数を排除しない。一個別デバイスは、特許請求の範囲に言及されている複数のユニットまたはデバイスの機能を実施できる。特許請求の範囲に示されている参照符号は、使用される手段およびステップの制約として見做されないものとする。
【図１】
2020517532.tif 000003
【図２】
2020517532.tif 000004
【図３】
2020517532.tif 000005
【図４ａ】
2020517532.tif 000006
【図４ｂ】
2020517532.tif 000007
【図５】
2020517532.tif 000008
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
方法であって、
−  包装システム（２０）を監視および／または制御するためのグラフィックユーザ面（４）を提供するステップ（３０２）であって、前記グラフィックユーザ面（４）は前記包装システム（２０）の所定の１つまたは複数の製作パラメータを表示するための製作パラメータ推移ビュー（４０）を備え、前記所定の製作パラメータの各々についての前記製作パラメータ推移ビュー（４０）は、以前の時間周期における前記それぞれの製作パラメータの少なくとも１つの推移（４０３〜４０５）と前記それぞれの現在の製作パラメータ値とをグラフで表し、前記グラフィックユーザ面（４）は、起動可能な少なくとも１つの代替ビュー（４２）を更に備え、前記製作パラメータ推移ビュー（４０）および前記代替ビュー（４２）は、前記代替ビュー（４２）が起動されると、前記代替ビュー（４２）は前記製作パラメータ推移ビュー（４０）の一部のみを覆い、前記製作パラメータ推移ビュー（４０）の第１区画（４０１）には前記所定の製作パラメータの現在の製作パラメータ値のグラフ表現が表示されているように、前記代替ビュー（４２）が表示される、ように構成され、前記所定の製作パラメータの各々についての前記製作パラメータ推移ビュー（４０）は、何れの場合も、前記それぞれの製作パラメータに対応付けられた推移曲線（４０３〜４０５）を備え、前記推移曲線の各々は、何れの場合も、前記それぞれの推移ビューに対応付けられた前記製作パラメータの前記推移をグラフで表し、前記製作パラメータ推移ビューの前記第１区画における前記推移曲線の各々は、前記それぞれの推移曲線に対応付けられた前記製作パラメータの現在の製作パラメータ値を表す、ステップ（３０２）、
を含む方法。
【請求項２】
−  前記代替ビュー（４２）を前記グラフィックユーザ面（４）の一部として表示する、および／または表示させる、ステップ（３０４）、
を更に含む、請求項１に記載の方法。
【請求項３】
前記代替ビュー（４２）は、起動されると、前記ユーザ面（４）の一部としてのみ表示される、請求項１または２に記載の方法。
【請求項４】
−  前記製作パラメータ推移ビュー（４０）を、および／または前記製作パラメータ推移ビュー（４０）の前記第１区画（４０１）を、前記グラフィックユーザ面（４）の一部として、表示する、および／または表示させる、ステップ（３０３）、
を更に含む、請求項１〜３の何れか一項に記載の方法。
【請求項５】
前記製作パラメータ推移ビュー（４０）の少なくとも前記第１区画（４０１）は、前記ユーザ面（４）の一部として永続的に表示される、請求項１〜４の何れか一項に記載の方法。
【請求項６】
前記製作パラメータ推移ビュー（４０）の前記第１区画（４０１）は、前記グラフィックユーザ面（４）の中心の外側に位置する、請求項１〜５の何れか一項に記載の方法。
【請求項７】
前記製作パラメータ推移ビュー（４０）は、前記グラフィックユーザ面（４）の側方境界（４３、４４）から前記グラフィックユーザ面（４）の反対側の側方境界（４３、４４）まで、少なくとも一方向に延在する、請求項１〜６の何れか一項に記載の方法。
【請求項８】
前記代替ビュー（４２）は、前記グラフィックユーザ面（４）の側方境界（４３、４４）から前記製作パラメータ推移ビュー（４０）の前記第１区画（４０１）まで、少なくとも一方向に延在する、請求項１〜７の何れか一項に記載の方法。
【請求項９】
−  前記包装システム（２０）の製作パラメータ情報を取得する、および／または利用可能に保持する、ステップ（３０１）であって、前記包装システム（２０）の前記所定の製作パラメータについての前記製作パラメータ情報は、何れの場合も、前記所定の以前の時間周期の間に記録された推移（４０３〜４０５）を表す、ステップ（３０１）、
を更に含む、請求項１〜８の何れか一項に記載の方法。
【請求項１０】
前記所定の製作パラメータの各々についての前記製作パラメータ情報は、何れの場合も、前記それぞれの製作パラメータの前記所定の以前の時間周期の間に記録された複数の製作パラメータ値と現在の製作パラメータ値とを表す、請求項９に記載の方法。
【請求項１１】
前記推移曲線の各々は線図または曲線図によって少なくとも部分的に形成される、請求項１〜１０の何れか一項に記載の方法。
【請求項１２】
前記グラフィックユーザ面（４）は、前記代替ビュー（４１０、４１１）を起動するための、前記所定の製作パラメータを事前に規定する、および／または調整する、ための、および／または前記所定の以前の時間周期を事前に規定する、および／または調整する、ための、ユーザ入力インタフェースを備える、請求項１〜１１の何れか一項に記載の方法。
【請求項１３】
プログラム命令を備えたコンピュータプログラムであって、前記コンピュータプログラムがプロセッサ（１０）によって実行されると、前記プログラム命令は、請求項１〜１２の何れか一項に記載の方法を前記プロセッサ（１０）に実施および／または制御させる、コンピュータプログラム。
【請求項１４】
装置（１）であって、前記請求項１〜１２の何れか一項に記載の方法を実施および／または制御するように構成された、または請求項１〜１２の何れか一項に記載の方法のステップを実施および／または制御するためのそれぞれの手段（１０〜１４）を備えた、装置（１）。
【請求項１５】
システム（２）であって、
−  請求項１４に記載の装置（１）と、
−  包装システム（２０）と、
を備えたシステム（２）。
【国際調査報告】
2020517532.tif 000009
2020517532.tif 000010
2020517532.tif 000011
2020517532.tif 000012